(57)【要約】【課題】  以前と同じ操作手順を登録するか否かをユーザの意思により決定できる操作装置を提供する。【解決手段】  入力部（入力手段）１２により入力されたキーをバッファ１６に格納する手段と、入力されたキーがスタートキーであるときは、バッファ１６をキーステップメモリ１７と比較する手段と、バッファ１６上の一連のキーからなる操作手順と同じ操作手順がキーステップメモリ１７上にないときは、バッファ１６上の操作手順をキーステップメモリ１７に格納してコピー（装置動作）を開始する手段と、同じ操作手順がキーステップメモリ１７上にあるときは、バッファ１６上の操作手順を登録するか否かを問うメッセージを表示する手段と、を備えた。【選択図】      図３ 
2005149090.tif 000002
【特許請求の範囲】
【請求項１】
入力手段により入力されたキーをバッファに格納する手段と、
前記入力されたキーがスタートキーであるときは、前記バッファをキーステップメモリと比較する手段と、
前記バッファ上の一連のキーからなる操作手順と同じ操作手順が前記キーステップメモリ上にないときは、前記バッファ上の操作手順を前記キーステップメモリに格納して装置動作を開始する手段と、
前記同じ操作手順が前記キーステップメモリ上にあるときは、前記バッファ上の操作手順を登録するか否かを問うメッセージを表示する手段と、
を備えたことを特徴とする操作装置。
【請求項２】
前記入力手段により前記バッファ上の操作手順を登録する旨の回答が入力されたときは、前記バッファ上の操作手順を登録するプログラムキーの入力を求めるメッセージを表示する手段と、
以前の操作手順が前記入力手段により入力されたプログラムキーと対応付けてプログラムキーメモリに登録されているときは、前記以前の操作手順を前記バッファ上の操作手順に更新するか否かを問うメッセージを表示する手段と、
前記入力手段により前記以前の操作手順を前記バッファ上の操作手順に更新しない旨の回答が入力されたときは、別のプログラムキーの入力を求めるメッセージを表示する手段と、
前記以前の操作手順が前記入力されたプログラムキーと対応付けて前記プログラムキーメモリに登録されていないとき、又は、前記入力手段により前記以前の操作手順を前記バッファ上の操作手順に更新する旨の回答が入力されたときは、前記バッファ上の操作手順を前記入力されたプログラムキーと対応付けて前記プログラムキーメモリに登録して装置動作を開始する手段と、
を備えた請求項１記載の操作装置。
【請求項３】
前記入力手段によるキーの入力が行われない無操作時間を計測する手段と、
前記入力手段によりキーが入力されたときは、前記無操作時間をリセットする手段と、
前記入力されたキーがリセットキーであるとき、又は、前記無操作時間が記憶手段に記憶されたリセット時間に達したときは、前記無操作時間をリセットすると共に、前記バッファを初期化する手段と、
を備えた請求項１又は２記載の操作装置。
【発明の詳細な説明】
【技術分野】
【０００１】
本発明は、以前と同じ操作手順を登録するか否かをユーザの意思により決定できる操作装置に関するものである。
【背景技術】
【０００２】
従来のこの種の技術としては、送信を含む一連の操作を１手順とし、この手順情報を記憶する手順情報記憶手段と、プログラムキーに登録した情報を記憶するプログラムキー情報記憶手段と、同一手順が指定回数以上行われた時、前記手順情報記憶手段の手順情報を前記プログラムキー情報記憶手段に自動的に登録する手順情報登録手段と、前記手順情報を登録した旨を報知する報知手段とを有するファクシミリ装置等が知られている（例えば、特許文献１参照。）。
【特許文献１】特開平６−３５０７５７号公報（第２−６頁，図１，図３等）
【発明の開示】
【発明が解決しようとする課題】
【０００３】
しかしながら、上記のようなファクシミリ装置においては、操作手順がユーザの意思に関係なく自動的に登録されるので、ユーザにとっては登録が不要な操作手順まで登録されるという問題点がある。
【０００４】
本発明は、以上のような問題点に鑑みてなされたものであり、以前と同じ操作手順を登録するか否かをユーザの意思により決定できる操作装置を提供することを目的とする。
【課題を解決するための手段】
【０００５】
上記目的を達成するための請求項１の発明は、入力手段により入力されたキーをバッファに格納する手段と、前記入力されたキーがスタートキーであるときは、前記バッファをキーステップメモリと比較する手段と、前記バッファ上の一連のキーからなる操作手順と同じ操作手順が前記キーステップメモリ上にないときは、前記バッファ上の操作手順を前記キーステップメモリに格納して装置動作を開始する手段と、前記同じ操作手順が前記キーステップメモリ上にあるときは、前記バッファ上の操作手順を登録するか否かを問うメッセージを表示する手段と、を備えたものである。
【０００６】
請求項２の発明は、前記入力手段により前記バッファ上の操作手順を登録する旨の回答が入力されたときは、前記バッファ上の操作手順を登録するプログラムキーの入力を求めるメッセージを表示する手段と、以前の操作手順が前記入力手段により入力されたプログラムキーと対応付けてプログラムキーメモリに登録されているときは、前記以前の操作手順を前記バッファ上の操作手順に更新するか否かを問うメッセージを表示する手段と、前記入力手段により前記以前の操作手順を前記バッファ上の操作手順に更新しない旨の回答が入力されたときは、別のプログラムキーの入力を求めるメッセージを表示する手段と、前記以前の操作手順が前記入力されたプログラムキーと対応付けて前記プログラムキーメモリに登録されていないとき、又は、前記入力手段により前記以前の操作手順を前記バッファ上の操作手順に更新する旨の回答が入力されたときは、前記バッファ上の操作手順を前記入力されたプログラムキーと対応付けて前記プログラムキーメモリに登録して装置動作を開始する手段と、を備えたものである。
【０００７】
請求項３の発明は、前記入力手段によるキーの入力が行われない無操作時間を計測する手段と、前記入力手段によりキーが入力されたときは、前記無操作時間をリセットする手段と、前記入力されたキーがリセットキーであるとき、又は、前記無操作時間が記憶手段に記憶されたリセット時間に達したときは、前記無操作時間をリセットすると共に、前記バッファを初期化する手段と、を備えたものである。
【発明の効果】
【０００８】
請求項１の発明によれば、バッファ上の操作手順を登録するか否かを問うメッセージが表示されるので、以前と同じ操作手順を登録するか否かをユーザの意思により決定することができる。
【０００９】
請求項２の発明によれば、上記のようなプログラムキーの登録を行うように構成されているので、入力手段により入力された（ユーザが選択した）プログラムキーに操作手順を登録することができる。
【００１０】
請求項３の発明によれば、上記のようなリセット時間の経過による無操作時間のリセット及びバッファの初期化を行うように構成されているので、以前に入力されたキーがバッファに残存していることによる操作手順の誤登録を防止することができる。
【発明を実施するための最良の形態】
【００１１】
以下、本発明の実施形態を図面に基づいて説明する。
本実施形態に係る画像記録装置（操作装置）１は、図１に示すように、ＣＰＵ（Central Processing Unit，中央処理装置）２、画像メモリ３、ＲＯＭ（Read Only Memory，読み出し専用メモリ）（記憶手段）４、コーデック（ＣＯＤＥＣ）５、計時部６、モデム７、ＮＣＵ（Network Control Unit，回線網制御装置）８、読取部９、プリント部１０、表示部１１、入力部（入力手段）１２、ＲＡＭ（Random Access Memory，随時書き込み読み出しメモリ）１３、及びＬＡＮ（Local Area Network）インターフェース（Ｉ／Ｆ）１４等を備えたものであり、各部２〜１４はバス１５を介して互いに通信可能に接続されている。
【００１２】
ＲＯＭ４は、ＣＰＵ２により各部３〜１４の動作を制御するための各種制御プログラム、後述する各種メッセージやリセット時間等を記憶した記憶部（記憶手段）として機能する。ＣＰＵ２は、ＲＯＭ４等に格納された制御プログラムに従って各部３〜１４の動作を制御する制御部として機能する。画像メモリ３は、ＲＡＭ等で構成されており、読取部９により読み取られる原稿の画像データ等を記憶する記憶部として機能する。
【００１３】
ＲＡＭ１３は、バッファ１６、キーステップメモリ１７、プログラムキーメモリ１８としての領域をそれぞれ有しており、これら以外の領域にライフ情報（プリント枚数、読取枚数等）、機器設定情報（発信元名、発信元番号等）、通信履歴情報（送信履歴情報、受信履歴情報等）等を記憶する記憶部として機能する。
【００１４】
読取部９は、原稿の画像を読み取り、白黒２値化等した画像データを出力する。プリント部１０は、電子写真方式等により、画像メモリ３に記憶された画像データ等を用紙にプリントする。表示部１１は、入力部１２等に併設されたＬＣＤ（Liquid Crystal Display，液晶ディスプレイ）等で構成されており、各種のメッセージや画面情報を表示する。
【００１５】
入力部１２は、コピーや送信等の装置動作の各種設定、スタート・ストップ、コピー部数、送信先番号等の各種情報・操作の入力をするための入力キー等を備えている。入力キーには、装置動作を開始するためのスタートキー、各種設定や無操作時間Ｔ等をリセットしたりバッファ１６を初期化したりするためのリセットキー、入力された一連のキー（複数のキーの並び）を１つの操作手順として登録するためのプログラムキー等が含まれる。画像記録装置１に対するユーザによる各種操作は、この入力部１２を通じて行われる。計時部６は、入力部１２によるキーの入力が行われない無操作時間Ｔを計測する。
【００１６】
バッファ１６は、入力部１２により入力されるキーを記憶する。キーステップメモリ１７は、バッファ１６上の一連のキーを１つの操作手順として記憶する。プログラムキーメモリ１８は、操作手順をプログラムキーと対応付けて記憶する。このような画像記録装置１は、以前と同じ操作手順をプログラムキーに登録し、入力部１２によりそのプログラムキーが入力されたときに登録されていた操作手順を実行するキーマクロ機能を備えている。
【００１７】
コーデック５は、画像データを送信のためにＭＨ（Modified Huffman）方式、ＭＲ（Modified READ）方式、ＭＭＲ（Modified Modified READ）方式等により符号化したり、受信した画像データを復号化したりする。また、コーデック５は、電子メールの添付ファイル形式として一般的に利用されている画像フォーマットであるＴＩＦＦ（Tagged Image File Format）形式にも対応して画像データを符号化及び復号化する。
【００１８】
モデム７は、例えばＩＴＵ−Ｔ（国際電気通信連合−電気通信標準化部門）の勧告Ｖ．３４規格又はこれと同様のものに従った送信データの変調及び受信データの復調を行う。ＮＣＵ８は、ＰＳＴＮ（Public Switched Telephone Network，公衆電話交換網）１９に接続されており、電話回線を制御して電話をかけたり切ったりする。
【００１９】
ＬＡＮインターフェース１４は、ＬＡＮ２０と画像記録装置１とを通信可能に接続するインターフェースである。ＬＡＮ２０にはクライアントＰＣ（Personal Computer）（図示せず）が設置されており、画像記録装置１が有する各種機能をクライアントＰＣからＬＡＮ２０を通じて利用できるようになっている。また、ＬＡＮ２０にはメールサーバ（図示せず）や、インターネットに接続されたルータ（図示せず）等も設置されており、画像記録装置１はメールサーバやルータ等を通じてインターネット上の他の電子メール端末装置とインターネットファクシミリ通信を行うことができるようになっている。
【００２０】
上記のように構成された画像記録装置１は、コピー機の他、ネットワークプリンタ、ネットワークスキャナ、ファクシミリ通信機能・インターネットファクシミリ通信機能・Ｆコード通信機能等を有する通信機等としても機能する複合機である。ここで、Ｆコード通信とはＩＴＵ−Ｔの規格に従ったサブアドレスやパスワードを利用して行う通信であり、サブアドレス等と配信先とを対応付けて記憶したＦコードボックスに基づいて、受信した画像データの配信先が決定されるようになっている。なお、操作装置は上記のような画像記録装置１に限定されるものではなく、少なくともバッファ１６及びキーステップメモリ１７を備えた各種の装置を採用することができる。
【００２１】
次に、操作手順の登録処理例を図２〜図４に示すフローチャートに基づいて説明する。なお、この処理は、ＲＯＭ４に格納された制御プログラムに基づいてＣＰＵ２が発行する命令に従って行われる。
【００２２】
この処理においては、図２に示すように、待機中に入力部１２によりキーが入力されたときは（ステップＳ１でＹＥＳ）、無操作時間Ｔがリセットされ（ステップＳ２）、入力されたキーがバッファ１６に格納される（ステップＳ３）。待機中は、計時部６により無操作時間Ｔが計測される。
【００２３】
入力されたキーがスタートキーでなく（ステップＳ４でＮＯ）、リセットキーでもなく（ステップＳ５でＮＯ）、かつ、無操作時間ＴがＲＯＭ４等の記憶手段に記憶されたリセット時間に達していないときは（ステップＳ６でＮＯ）、ステップＳ１に戻る。なお、待機中に入力部１２によりキーが入力されないときは（ステップＳ１でＮＯ）、ステップＳ６に進む。
【００２４】
入力されたキーがリセットキーであるとき（ステップＳ５でＹＥＳ）、又は、無操作時間Ｔがリセット時間に達したときは（ステップＳ６でＹＥＳ）、無操作時間Ｔがリセットされると共に、バッファ１６が初期化され（ステップＳ７）、ステップＳ１に戻る。
【００２５】
入力されたキーがスタートキーであるときは（ステップＳ４でＹＥＳ）、図３に示すように、バッファ１６がキーステップメモリ１７と比較される（ステップＳ８）。バッファ１６上の一連のキーからなる操作手順と同じ操作手順がキーステップメモリ１７にないときは（ステップＳ９でＮＯ）、バッファ１６上の操作手順がキーステップメモリ１７に格納され（ステップＳ１０）、例えばコピー（装置動作）が開始されて（ステップＳ１１）処理が終了する。なお、装置動作はコピーに限定されるものではなく、その他に例えば送信等であってもよい。
【００２６】
バッファ１６上の操作手順と同じ操作手順がキーステップメモリ１７にあるときは（ステップＳ９でＹＥＳ）、「今回の操作手順を登録しますか？」等のバッファ１６上の操作手順を登録するか否かを問うメッセージが表示部１１に表示される（ステップＳ１２）。
【００２７】
入力部１２により「いいえ」等のバッファ１６上の操作手順を登録しない旨の回答が入力されたときは（ステップＳ１３でＮＯ）、ステップＳ１１に進む。「はい」等のバッファ１６上の操作手順を登録する旨の回答が入力されたときは（ステップＳ１３でＹＥＳ）、図４に示すように、「登録するプログラムキーを押して下さい」等のバッファ１６上の操作手順を登録するプログラムキーの入力を求めるメッセージが表示部１１に表示される（ステップＳ１４）。
【００２８】
入力部１２によりプログラムキーが入力され（ステップＳ１５）、以前の操作手順が入力されたプログラムキーと対応付けてプログラムキーメモリ１８に登録されているときは（ステップＳ１６でＮＯ）、「既に登録されていますが、よろしいですか？」等の以前の操作手順をバッファ１６上の操作手順に更新するか否かを問うメッセージが表示部１１に表示される（ステップＳ１７）。なお、以前の操作手順は、バッファ１６上の操作手順と異なっていてもよいし、同じであってもよい。
【００２９】
入力部１２により「いいえ」等の以前の操作手順をバッファ１６上の操作手順に更新しない旨の回答が入力されたときは（ステップＳ１８でＮＯ）、「別のプログラムキーを押して下さい」等の別のプログラムキーの入力を求めるメッセージが表示部１１に表示され（ステップＳ１９）、ステップＳ１５に戻る。
【００３０】
以前の操作手順が入力されたプログラムキーと対応付けてプログラムキーメモリ１８に登録されていないとき（ステップＳ１６でＹＥＳ）、又は、入力部１２により「はい」等の以前の操作手順をバッファ１６上の操作手順に更新する旨の回答が入力されたときは（ステップＳ１８でＹＥＳ）、バッファ１６上の操作手順が入力されたプログラムキーと対応付けてプログラムキーメモリ１８に登録され（ステップＳ２０）、図３のステップＳ１１に進む。
【００３１】
このように、画像記録装置１によれば、バッファ１６上の操作手順を登録するか否かを問うメッセージが表示されるので、以前と同じ操作手順を登録するか否かをユーザの意思により決定できるという利点がある。
【００３２】
ここで、図４のようなプログラムキーの登録を行うように構成しておけば、入力部１２により入力された（ユーザが選択した）プログラムキーに操作手順を登録できるという利点がある。また、図２のようなリセット時間の経過による無操作時間Ｔのリセット及びバッファ１６の初期化を行うように構成しておけば、以前に入力されたキーがバッファ１６に残存していることによる操作手順の誤登録を防止できるという利点がある。
【産業上の利用可能性】
【００３３】
以上のように、本発明に係る操作装置は、操作手順をプログラムキーに登録するときに有用であり、特に、以前と同じ操作手順を登録するか否かをユーザの意思により決定できるようにするのに適している。
【図面の簡単な説明】
【００３４】
【図１】実施形態に係る画像記録装置の構成例を示すブロック図。
【図２】操作手順の登録処理例の一部を示すフローチャート。
【図３】操作手順の登録処理例の一部を示すフローチャート。
【図４】操作手順の登録処理例の一部を示すフローチャート。
【符号の説明】
【００３５】
１  画像記録装置（操作装置）
４  ＲＯＭ（記憶手段）
１２  入力部（入力手段）
１６  バッファ
１７  キーステップメモリ
１８  プログラムキーメモリ
【図１】
2005149090.tif 000003
【図２】
2005149090.tif 000004
【図３】
2005149090.tif 000005
【図４】
2005149090.tif 000006